(57)【要約】【課題】摂取カロリーの管理を容易に行う。【解決手段】画像認識部１５により、カメラ１３が撮像した画像を認識し、カロリー管理部１８により、摂取可能カロリーを管理し、画像処理制御部１６により、画像認識部１５が画像を飲食物４０ａ〜４０ｉと認識すると、情報管理サーバー２０から画像認識部１５が認識した飲食物４０ａ〜４０ｉのカロリー情報を取得する。また、画像処理制御部１６は、カロリー情報が示すカロリーの摂取に伴い、摂取可能カロリーが一定値以下となるとき、飲食物４０ａ〜４０ｉの食欲を減退させる画像である、たとえば青色フィルターを生成し、表示部１１に飲食物４０ａ〜４０ｉに重ねて表示させる。表示部１１に、飲食物４０ａ〜４０ｉの食欲を減退させる画像である、たとえば青色フィルターを飲食物４０ａ〜４０ｉに重ねて表示させることで、食べ物の摂取の抑制効果を高めることが期待できる。【選択図】図２
2020042401.tif 000002
【特許請求の範囲】
【請求項１】
カメラと、
表示部と、
前記カメラが撮像した画像を認識する画像認識部と、
摂取可能カロリーを管理するカロリー管理部と、
前記画像認識部が前記画像を飲食物と認識すると、情報管理サーバーから前記画像認識部が認識した前記飲食物のカロリー情報を取得する画像処理制御部とを備え、
前記画像処理制御部は、前記カロリー情報が示すカロリーの摂取に伴い、前記摂取可能カロリーが一定値以下となるとき、前記飲食物の食欲を減退させる画像を生成し、前記表示部に前記飲食物に重ねて表示させる
ことを特徴とする画像処理装置。
【請求項２】
運動検知センサーを備え、
前記画像認識部は、前記飲食物の移動に伴い前記飲食物の摂取を認識し、
前記カロリー管理部は、前記運動検知センサーからの検知結果を元にして求めた消費カロリーと、前記画像認識部が認識した摂取されている前記飲食物の摂取カロリーとの差から、残りの前記摂取可能カロリーを求め、
前記画像処理制御部は、前記摂取可能カロリーが一定値以下であるとき、前記飲食物の食欲を減退させる画像を前記飲食物に重ねて表示させる
ことを特徴とする請求項１に記載の画像処理装置。
【請求項３】
前記カロリー管理部は、外部から設定された摂取可能カロリーを管理することを特徴とする請求項１又は２に記載の画像処理制装置。
【請求項４】
前記飲食物の食欲を減退させる画像は、青色フィルターであることを特徴とする請求項１〜３のいずれかに記載の画像処理制装置。
【請求項５】
画像処理制装置を制御するコンピューターに実行させる画像処理プログラムであって、
画像認識部により、カメラが撮像した画像を認識する工程と、
カロリー管理部により、摂取可能カロリーを管理する工程と、
画像処理制御部により、前記画像認識部が前記画像を飲食物と認識すると、情報管理サーバーから前記画像認識部が認識した前記飲食物のカロリー情報を取得する工程とを有し、
前記画像処理制御部は、前記カロリー情報が示すカロリーの摂取に伴い、前記摂取可能カロリーが一定値以下となるとき、前記飲食物の食欲を減退させる画像を生成し、表示部に前記飲食物に重ねて表示させる
ことを特徴とする画像処理プログラム。  
【発明の詳細な説明】
【技術分野】
【０００１】
本発明は、食べ物の摂取管理に適した画像処理装置及び画像処理プログラムに関する。
【背景技術】
【０００２】
生活習慣病の予防の一つに、食事療法がある。このような食事療法では、摂取した食事の正確なカロリー等の管理が必要となる。
【０００３】
このようなカロリー等の管理に関するものとして、特許文献１では、撮影部により、食事中の画像を撮影し、判別部により、撮影部が撮影した画像を基に食事を口にするかを判別し、取得部により、判別部が判別した口にする食事のカロリー若しくは糖質量を取得し、比較部により、取得部が取得したカロリー若しくは糖質量を累計して摂取カロリー若しくは摂取糖質量を求め、目標カロリー若しくは目標糖質量と比較し、報知部により、比較部が目標カロリー若しくは目標糖質量を超えると判断した場合に報知する健康管理装置を提案している。
【先行技術文献】
【特許文献】
【０００４】
【特許文献１】特開２０１５−１５６１９０号公報
【発明の概要】
【発明が解決しようとする課題】
【０００５】
上述した特許文献１の健康管理装置では、撮影部が撮影した画像を基に食事のカロリー若しくは糖質量を取得し、比較部により、目標カロリー若しくは目標糖質量と比較するので、摂取した食事の正確なカロリー等を算出できる。
【０００６】
ところで、この健康管理装置では、撮影部が撮影した画像を基に摂取した食事の正確なカロリー等を算出し、目標カロリー若しくは目標糖質量を超えるとき報知部により報知するようにしている。ところが、このような目標カロリー若しくは目標糖質量を超えることの報知に頼ると、食べ物の摂取の抑制がユーザーの意思に委ねられる。このため、食べ物の摂取の抑制効果を高めることが期待できず、摂取カロリーの管理を容易に行うことができなくなる。
【０００７】
本発明は、このような状況に鑑みてなされたものであり、上記問題点を解消することができる画像処理装置及び画像処理プログラムを提供することを目的とする。
【課題を解決するための手段】
【０００８】
本発明の画像処理装置は、カメラと、表示部と、前記カメラが撮像した画像を認識する画像認識部と、摂取可能カロリーを管理するカロリー管理部と、前記画像認識部が前記画像を飲食物と認識すると、情報管理サーバーから前記画像認識部が認識した前記飲食物のカロリー情報を取得する画像処理制御部とを備え、前記画像処理制御部は、前記カロリー情報が示すカロリーの摂取に伴い、前記摂取可能カロリーが一定値以下となるとき、前記飲食物の食欲を減退させる画像を生成し、前記表示部に前記飲食物に重ねて表示させることを特徴とする。
また、運動検知センサーを備え、前記画像認識部は、前記飲食物の移動に伴い前記飲食物の摂取を認識し、前記カロリー管理部は、前記運動検知センサーからの検知結果を元にして求めた消費カロリーと、前記画像認識部が認識した摂取されている前記飲食物の摂取カロリーとの差から、残りの前記摂取可能カロリーを求め、前記画像処理制御部は、前記摂取可能カロリーが一定値以下であるとき、前記飲食物の食欲を減退させる画像を前記飲食物に重ねて表示させることを特徴とする。
また、前記カロリー管理部は、外部から設定された摂取可能カロリーを管理することを特徴とする。
また、前記飲食物の食欲を減退させる画像は、青色フィルターであることを特徴とする。
本発明の画像処理プログラムは、画像処理制装置を制御するコンピューターに実行させる画像処理プログラムであって、画像認識部により、カメラが撮像した画像を認識する工程と、カロリー管理部により、摂取可能カロリーを管理する工程と、画像処理制御部により、前記画像認識部が前記画像を飲食物と認識すると、情報管理サーバーから前記画像認識部が認識した前記飲食物のカロリー情報を取得する工程とを有し、前記画像処理制御部は、前記カロリー情報が示すカロリーの摂取に伴い、前記摂取可能カロリーが一定値以下となるとき、前記飲食物の食欲を減退させる画像を生成し、表示部に前記飲食物に重ねて表示させることを特徴とする。
本発明の画像処理装置及び画像処理プログラムでは、画像認識部により、カメラが撮像した画像を認識し、カロリー管理部により、摂取可能カロリーを管理し、画像処理制御部により、画像認識部が画像を飲食物と認識すると、情報管理サーバーから画像認識部が認識した飲食物のカロリー情報を取得する。また、画像処理制御部は、カロリー情報が示すカロリーの摂取に伴い、摂取可能カロリーが一定値以下となるとき、飲食物の食欲を減退させる画像を生成し、表示部に飲食物に重ねて表示させる。
このように、表示部に、飲食物の食欲を減退させる画像を飲食物に重ねて表示させることで、食べ物の摂取の抑制効果を高めることが期待できる。
【発明の効果】
【０００９】
本発明の画像処理装置及び画像処理プログラムによれば、食べ物の摂取の抑制効果を高めることが期待できるので、摂取カロリーの管理を容易に行うことができる。
【図面の簡単な説明】
【００１０】
【図１】本発明の画像処理装置をＨＤＭに適用した場合の一実施形態を示す図である。
【図２】図１のＨＭＤの制御系の構成等について説明するためのである。
【図３】図１のＨＭＤのカメラにより撮像される被写体に食欲を減退させるための青色フィルターをかけた状態を示す図である。
【図４】図１のＨＭＤでのフィルター処理について説明するためのフローチャートである。
【発明を実施するための最良の形態】
【００１１】
以下、本発明の画像処理装置の一実施形態を、図１〜図４を参照しながら説明する。なお、以下の説明においての画像処理装置の一例としては、たとえば頭部装着型表示装置（以下、ＨＭＤ（Head Mounted Display）という）であるものとする。
【００１２】
まず、図１に示すように、ＨＭＤ１０は、たとえば食べ物の摂取者（以下、単にユーザーという）の頭部に装着した状態で使用されるものであり、眼鏡型とされている。ユーザーは、ＨＤＭ１０を頭部に装着した状態で使用することで、今まで通り両手を使って食事をすることができる。
【００１３】
ＨＭＤ１０は、後述の図３の飲食物４０ａ〜４０ｉとＣＧ等で描画された青色フィルター５０とを融合表示させる左右の表示部１１と、耳に掛けるためのつる部１２とを有している。左右の表示部１１の間には、カメラ１３が配置されている。カメラ１３が左右の表示部１１の間に配置されていることで、カメラ１３の撮像範囲がユーザーの頭部の動きに追従する。なお、カメラ１３は、つる部１２側に配置されていてもよい。また、一方のつる部１２には、装置本体１４が配置されている。
【００１４】
次に、図２により、ＨＤＭ１０の制御系の構成等について説明する。まず、ＨＤＭ１０は、無線通信回線３０を介し、データベース２４を有する情報管理サーバー２０に接続されている。ＨＤＭ１０の上述したカメラ１３は、たとえばＣＣＤ(Charge Coupled Device)センサー又はＣＭＯＳ(Complementary Metal Oxide Semiconductor)センサーを撮像素子として用いた構成とされる。また、カメラ１３は、画像一枚あたりの撮像周期がたとえば１／３０秒（すなわち、フレームレートが３０fps）で被写体である後述の図３の飲食物４０ａ〜４０ｉを撮像可能なビデオカメラとすることができる。これにより、被写体である後述の図３の飲食物４０ａ〜４０ｉを連続して撮像することができる。なお、カメラ１３においては、ビデオカメラに限らず、静止画を撮像するものとしてもよい。この場合、静止画の撮像間隔を、たとえば０．５秒とすることで、被写体である後述の図３の飲食物４０ａ〜４０ｉを間欠的に撮像することができる。
【００１５】
また、ＨＤＭ１０の上述した表示部１１は、たとえば光学シースルー方式を採用している。すなわち、表示部１１は、可視光の透過が可能となるように構成されている。これにより、ＨＭＤ１０を装着するユーザーは、眼前の表示部１１を透過した現実空間の光景を直接見ることができるとともに、表示部１１に表示された拡張現実画像も見ることができる。この場合の拡張現実画像は、ＣＧ等で描画された後述の図３の青色フィルター５０である。なお、後述の図３の青色フィルター５０の代わりに、カロリー摂取オーバーの警告等を示す画像を表示させてもよい。また、カロリー摂取オーバーとなる後述の図３のいずれかの飲食物４０ａ〜４０ｉの画像自体を青色で表示させてもよい。また、表示部１１は、たとえばハーフミラーによって構成されていてもよい。また、表示部１１は、後述の画像処理制御部１６によって生成されたたとえば青色フィルター５０を、後述の図３のいずれかの飲食物４０ａ〜４０ｉに重なるように表示部１１に投影させる投影装置（図示省略）を備えている。また、表示部１１は、液晶ディスプレイで構成されていてもよい。この場合、後述の画像処理制御部１６によって生成されたたとえば青色フィルター５０が液晶駆動回路（図示省略）によって後述の図３のいずれかの飲食物４０ａ〜４０ｉに重なるように、表示部１１に表示されるようにする。
【００１６】
装置本体１４は、画像認識部１５、画像処理制御部１６、無線送受信部１７、カロリー管理部１８を有している。画像認識部１５は、上述のカメラ１３によって撮像された被写体である飲食物４０ａ〜４０ｉを認識する。また、画像認識部１５は、飲食物４０ａ〜４０ｉのいずれかが摂取されたことを認識する。この場合、画像認識部１５は、上述のカメラ１３により、たとえば後述の図３の箸６０によっていずれかの飲食物４０ａ〜４０ｉの一部がつままれ、一定時間（たとえば５秒程度）元に位置に戻されなかったことを条件に、いずれかの飲食物４０ａ〜４０ｉが摂取されたことを認識する。なお、画像認識部１５は、被写体である飲食物４０ａ〜４０ｉの認識と、いずれかの飲食物４０ａ〜４０ｉの摂取の認識とを、カメラ１３によって撮像が行われている間、連続して行う。また、画像認識部１５による被写体である飲食物４０ａ〜４０ｉの認識は、たとえば０．５秒間隔としたように間欠的に行われてもよい。
【００１７】
画像処理制御部１６は、カメラ１３の撮像動作、画像認識部１５による認識動作、カロリー管理部１８のカロリー管理動作を制御する。また、画像処理制御部１６は、画像認識部１５が認識した被写体である飲食物４０ａ〜４０ｉの画像を、無線送受信部１７を介して無線通信回線３０に接続されている情報管理サーバー２０に送信する。なお、画像処理制御部１６は、画像認識部１５が認識した被写体である全ての飲食物４０ａ〜４０ｉの画像を一度に送信してもよいし、個々の飲食物４０ａ〜４０ｉの画像を１個ずつ送信してもよい。また、画像処理制御部１６は、後述のカロリー管理部１８から受け取ったカロリー摂取オーバーとなる飲食物４０ａ〜４０ｉに重ねて表示させる青色フィルター５０を生成し、表示部１１に表示させる。なお、画像処理制御部１６は、青色フィルター５０に代えてカロリー摂取オーバーの警告等を示す画像を生成してもよい。また、画像処理制御部１６は、カロリー摂取オーバーとなる後述の図３のいずれかの飲食物４０ａ〜４０ｉの画像自体を青色で表示させてもよい。
【００１８】
無線送受信部１７は、画像処理制御部１６からの飲食物４０ａ〜４０ｉの画像を情報管理サーバー２０に送信したり、情報管理サーバー２０からの画像毎のカロリー情報を受信したりする。また、無線送受信部１７は、運動検知センサー１９からの検知結果を受信したりする。
【００１９】
カロリー管理部１８は、予め設定された摂取可能カロリーを管理する。なお、摂取可能カロリーの設定に際しては、朝、昼、晩毎であってもよいし、１日毎であってもよいし、３日毎のように複数日数毎であってもよいし、一ヶ月毎であってもよいし、三ヶ月毎のように複数月毎であってもよい。また、カロリー管理部１８は、運動検知センサー１９からの検知結果を元に消費カロリーを求め、この求めた消費カロリーと、画像認識部１５が認識した飲食物４０ａ〜４０ｉに関連する摂取カロリーとの差から、残りの摂取可能カロリーを求める。なお、画像認識部１５が認識した飲食物４０ａ〜４０ｉに関連する摂取カロリーは、カロリー管理部１８が情報管理サーバー２０からの画像毎のカロリー情報に基づき、確認できる。また、カロリー管理部１８は、求めた摂取可能カロリーからカロリー摂取オーバーとなる飲食物４０ａ〜４０ｉを確認し、画像処理制御部１６に通知する。
【００２０】
運動検知センサー１９は、たとえば加速度センサーによって構成される。運動検知センサー１９は、ユーザーの身体の一部に装着され、無線通信により、座位、立位、歩行等の状態を推定し、それぞれの状態に応じた消費カロリーを送信する。なお、消費カロリーは、座位、立位、歩行等のそれぞれの状態の変化に合わせ、それぞれの状態毎に送信してもよい。
【００２１】
情報管理サーバー２０は、無線送受信部２１、飲食物識別部２２、カロリー取得部２３を備えている。無線送受信部２１は、ＨＭＤ１０からの上述した飲食物４０ａ〜４０ｉの画像の受信と、それぞれの飲食物４０ａ〜４０ｉ毎のカロリー情報の送信とを行う。飲食物識別部２２は、ＨＭＤ１０から受け取った飲食物４０ａ〜４０ｉの識別を行う。カロリー取得部２３は、飲食物識別部２２が識別した飲食物４０ａ〜４０ｉのカロリーをデータベース２４から取得する。
【００２２】
次に、図３を参照し、ＨＭＤ１０のカメラ１３により撮像される被写体である飲食物４０ａ〜４０ｉにかけられる食欲を減退させるための青色フィルター５０について説明する。  
【００２３】
図３に示すように、ＨＭＤ１０のカメラ１３により、飲食物４０ａ〜４０ｉと箸６０とが被写体として撮像されているとする。ここで、カロリー管理部１８が、飲食物４０ａ〜４０ｉのうち、飲食物４０ｃ、４０ｄ、４０ｉを摂取すると、カロリー摂取オーバーとなることを確認し、画像処理制御部１６に通知したとする。このとき、画像処理制御部１６は、飲食物４０ｃ、４０ｄ、４０ｉに重ねて表示させる青色フィルター５０を生成し、表示部１１に表示させる。これにより、ユーザーは、表示部１１を通し、飲食物４０ｃ、４０ｄ、４０ｉに青色フィルター５０がかけられていることを確認できる。このように、飲食物４０ｃ、４０ｄ、４０ｉに青色フィルター５０がかけられることで、ユーザーに対して飲食物４０ｃ、４０ｄ、４０ｉに対する食欲減退を促すことができる。一方、青色フィルター５０がかけられていない飲食物４０ｃ、４０ｄ、４０ｉを除いた飲食物４０ａ〜４０ｉについては、摂取してもカロリー摂取オーバーとならないことをユーザーに知らせることができる。
【００２４】
なお、図３のように、飲食物４０ｃ、４０ｄ、４０ｉに青色フィルター５０がかけられている状態で、目線が左右上下のいずれかに移動すると、飲食物４０ｃ、４０ｄ、４０ｉと青色フィルター５０との位置がずれる。この場合、画像処理制御部１６は、画像認識部１５の認識結果を元に、飲食物４０ｃ、４０ｄ、４０ｉに重ねて表示させる青色フィルター５０を飲食物４０ｃ、４０ｄ、４０ｉの位置に合わせて生成するので、飲食物４０ｃ、４０ｄ、４０ｉと青色フィルター５０との位置のずれを無くすことができる。また、青色フィルター５０がかけられていない飲食物４０ｃ、４０ｄ、４０ｉを除いた飲食物４０ａ〜４０ｉについては、カロリー管理部１８がカロリー摂取オーバーとなることを確認すると、画像処理制御部１６がカロリー摂取オーバーとなる飲食物４０ｃ、４０ｄ、４０ｉを除いた飲食物４０ａ〜４０ｉについて重ねて表示させる青色フィルター５０を生成し、表示部１１に表示させる。このように、飲食物４０ａ〜４０ｉの摂取により、カロリー摂取オーバーとなる飲食物４０ａ〜４０ｉに対して青色フィルター５０が重ねて表示されることで、ユーザーに対してカロリー摂取オーバーとならないように、食欲減退を促すことができる。なお、画像処理制御部１６は、上述したように、カロリー摂取オーバーとなる図３のいずれかの飲食物４０ａ〜４０ｉの画像自体を青色で表示させてもよい。また、画像処理制御部１６は、上述したように、青色フィルター５０の代わりに、カロリー摂取オーバーの警告等を示す画像を表示させてもよい。この場合、画像処理制御部１６は、飲食物４０ａ〜４０ｉ以外の画像により、カロリー摂取オーバーのなる飲食物４０ａ〜４０ｉを見えなくしてもよい。また、摂取オーバーのカロリーを表示させてもよい。
【００２５】
次に、図４を参照し、ＨＭＤ１０でのフィルター処理について説明する。なお、以下では、カロリー摂取オーバーのなる飲食物４０ａ〜４０ｉに対し、青色フィルター５０が重ねて表示される場合として説明する。また、以下では、図示しない起動スイッチがオンされ、カメラ１３による撮像が開始されている場合として説明する。
【００２６】
（ステップＳ１０１）
画像処理制御部１６は、カメラ１３によって撮像された画像が認識されたかどうかを判断する。
この場合、画像処理制御部１６は、画像認識部１５からの被写体である画像を認識したことを示す通知が無ければ画像が認識されていないと判断する（ステップＳ１０１：Ｎｏ）。
これに対し、画像処理制御部１６は、画像認識部１５からの被写体である画像を認識したことを示す通知が有れば画像が認識されたと判断し（ステップＳ１０１：Ｙｅｓ）、ステップＳ１０２に移行する。
【００２７】
（ステップＳ１０２）
画像処理制御部１６は、画像認識部１５が認識した画像が飲食物４０ａ〜４０ｉかどうかを判断する。
この場合、画像処理制御部１６は、画像認識部１５からの飲食物４０ａ〜４０ｉを認識したことを示す通知が無ければ、画像認識部１５が認識した画像が飲食物４０ａ〜４０ｉでないと判断する（ステップＳ１０２：Ｎｏ）。
これに対し、画像処理制御部１６は、画像認識部１５からの飲食物４０ａ〜４０ｉを認識したことを示す通知が有れば、画像認識部１５が認識した画像が飲食物４０ａ〜４０ｉであると判断し（ステップＳ１０２：Ｙｅｓ）、ステップＳ１０３に移行する。
【００２８】
（ステップＳ１０３）
画像処理制御部１６は、画像認識部１５が認識した飲食物４０ａ〜４０ｉの画像を情報管理サーバー２０に送信する。
この場合、画像処理制御部１６は、画像認識部１５が認識した飲食物４０ａ〜４０ｉの画像を、無線送受信部１７を介して無線通信回線３０に接続されている情報管理サーバー２０に送信する。このとき、画像処理制御部１６は、画像認識部１５が認識した被写体である全ての飲食物４０ａ〜４０ｉの画像を一度に送信してもよいし、個々の飲食物４０ａ〜４０ｉの画像を１個ずつ送信してもよい。
【００２９】
（ステップＳ１０４）
画像処理制御部１６は、情報管理サーバー２０からのカロリー情報を受信したかどうかを判断する。
この場合、画像処理制御部１６は、無線送受信部１７が情報管理サーバー２０からのカロリー情報を受信したことを示す通知が無ければ、情報管理サーバー２０からのカロリー情報を受信していないと判断する（ステップＳ１０４：Ｎｏ）。
これに対し、画像処理制御部１６は、無線送受信部１７が情報管理サーバー２０からのカロリー情報を受信したことを示す通知が有れば、情報管理サーバー２０からのカロリー情報を受信したと判断し（ステップＳ１０４：Ｙｅｓ）、ステップＳ１０５に移行する。
【００３０】
（ステップＳ１０５）
画像処理制御部１６は、カロリー摂取オーバーとなる飲食物４０ａ〜４０ｉが有るかどうかを判断する。
この場合、画像処理制御部１６は、カロリー管理部１８からのカロリー摂取オーバーとなる飲食物４０ａ〜４０ｉの通知が無ければ、カロリー摂取オーバーの飲食物４０ａ〜４０ｉが無いと判断する（ステップＳ１０５：Ｎｏ）。
これに対し、画像処理制御部１６は、カロリー管理部１８からのカロリー摂取オーバーとなる飲食物４０ａ〜４０ｉの通知が有れば、カロリー摂取オーバーの飲食物４０ａ〜４０ｉが有ると判断し（ステップＳ１０５：Ｙｅｓ）、ステップＳ１０６に移行する。
ここで、カロリー管理部１８は、運動検知センサー１９からの検知結果を元に消費カロリーを求め、画像認識部１５が認識した飲食物４０ａ〜４０ｉに関連する摂取カロリーと求めた消費カロリーとの差から、残りの摂取可能カロリーを求める。なお、画像認識部１５が認識した飲食物４０ａ〜４０ｉに関連する摂取カロリーは、カロリー管理部１８が情報管理サーバー２０からのたとえば画像毎のカロリー情報に基づき、確認できる。そして、カロリー管理部１８は、求めた摂取可能カロリーからカロリー摂取オーバーとなる飲食物４０ａ〜４０ｉを確認し、画像処理制御部１６に通知する。
【００３１】
（ステップＳ１０６）
画像処理制御部１６は、青色フィルター５０を生成する。
この場合、画像処理制御部１６は、カロリー管理部１８から受け取ったカロリー摂取オーバーとなる飲食物４０ａ〜４０ｉに重ねて表示させる青色フィルター５０を生成する。
【００３２】
（ステップＳ１０７）
画像処理制御部１６は、生成した青色フィルター５０を表示部１１に表示させる。
この場合、画像処理制御部１６は、カロリー管理部１８から受け取ったカロリー摂取オーバーとなる飲食物４０ａ〜４０ｉに重ねて表示させる青色フィルター５０を生成すると、その青色フィルター５０を表示部１１に、カロリー摂取オーバーとなる飲食物４０ａ〜４０ｉに重ねて表示させる。
これにより、ユーザーは、カロリー摂取オーバーとなる飲食物４０ａ〜４０ｉが青色フィルター５０によって青く見えるため、カロリー摂取オーバーとなる飲食物４０ａ〜４０ｉの食欲が減退し、カロリー摂取オーバーが抑制される。
【００３３】
このように、本実施形態では、画像認識部１５により、カメラ１３が撮像した画像を認識し、カロリー管理部１８により、摂取可能カロリーを管理し、画像処理制御部１６により、画像認識部１５が画像を飲食物４０ａ〜４０ｉと認識すると、情報管理サーバー２０から画像認識部１５が認識した飲食物４０ａ〜４０ｉのカロリー情報を取得する。また、画像処理制御部１６は、カロリー情報が示すカロリーの摂取に伴い、摂取可能カロリーが一定値以下となるとき、飲食物４０ａ〜４０ｉの食欲を減退させる画像である、たとえば青色フィルター５０を生成し、表示部１１に飲食物４０ａ〜４０ｉに重ねて表示させる。
【００３４】
このように、表示部１１に、飲食物４０ａ〜４０ｉの食欲を減退させる画像である、たとえば青色フィルター５０を飲食物４０ａ〜４０ｉに重ねて表示させることで、食べ物の摂取の抑制効果を高めることが期待でき、摂取カロリーの管理を容易に行うことができる。
【００３５】
なお、本実施形態では、ＨＭＤ１０を、たとえば調理済みの飲食物４０ａ〜４０ｉの摂取カロリーの管理において用いられるものとして説明したが、この例に限らず、たとえばスーパー等における食材を元にした摂取カロリーの管理に適用してもよい。この場合、摂取可能カロリーを元に食材を決めることができ、さらには献立の立案も容易となる。
【符号の説明】
【００３６】
１０  ＨＭＤ
１１  表示部
１２  つる部
１３  カメラ
１４  装置本体
１５  画像認識部
１６  画像処理制御部
１７、２１  無線送受信部
１８  カロリー管理部
１９  運動検知センサー
２０  情報管理サーバー
２２  飲食物識別部
２３  カロリー取得部
２４  データベース
３０  無線通信回線
４０ａ〜４０ｉ  飲食物
５０  青色フィルター
６０  箸
【図１】
2020042401.tif 000003
【図２】
2020042401.tif 000004
【図３】
2020042401.tif 000005
【図４】
2020042401.tif 000006